(57)【要約】【課題】特別の注意を必要とせずに簡単な操作で確実に腕に被着することができる腕の血管止血器を提供する。【解決手段】腕を囲み且つ１個所を切離した各種形状の輪状弾性板であって、囲んだ腕に圧接する方向に弾性を有すると共に、圧接した腕から外すべく上記切離部を拡開する方向に弾性変位自在の抱持板と、上記抱持板の内側面に取りつけられた膨縮可能の透明空気袋と、上記抱持板の少くとも上記空気袋に対応する部分に形成した、外側から空気袋を見ることができるようにした検知面と、上記空気袋を所望容量に膨張、収縮させる空気給排手段と、から構成される腕の血管止血器。【選択図】        図１
2004337393.tif 000002
【特許請求の範囲】
【請求項１】
腕を囲み且つ１個所を切離した各種形状の輪状弾性板であって、囲んだ腕に圧接する方向に弾性を有すると共に、圧接した腕から外すべく上記切離部を拡開する方向に弾性変位自在の抱持板と、
上記抱持板の内側面に取りつけられた膨縮可能の透明空気袋と、
上記抱持板の少くとも上記空気袋に対応する部分に形成した、外側から空気袋を見ることができるようにした検知面と、
上記空気袋を所望容量に膨張、収縮させる空気給排手段と、
から構成される腕の血管止血器。
【請求項２】
大腿を囲み且つ１個所を切離した各種形状の輪状弾性板であって、囲んだ大腿に圧接する方向に弾性を有すると共に、圧接した大腿から外すべく上記切離部を拡開する方向に弾性変位自在の抱持板と、
上記抱持板に突設され、先端部を穿刺すべき血管上に延長するアーム板と、
上記アーム板の先端部内側面に取りつけられた膨縮可能の透明空気袋と、
上記アーム板の少くとも上記空気袋に対応する部分に形成した、外側から空気袋を見ることができるようにした検知面と、
上記空気袋を所望容量に膨張、収縮させる空気給排手段と、
から構成される大腿の血管止血器。
【発明の詳細な説明】
【０００１】
【発明の属する技術分野】
本願発明は、腕や大腿の血管から造影剤注入、バルーン挿入、透析等の穿刺施術を行った後、該血管からカテーテル、針等を抜き取った後の血管の止血及び修復に使用される止血器に関する。
【０００２】
【従来の技術】
従来、例えば上腕動脈の止血器として、腕時計バンドのように腕に巻きつけ、接合テープにより接続する透明バンドと、上記バンドの内側面に取りつけた空気袋と、上記空気袋に空気を給排するポンプとからなるものが知られており、使用においては、上記空気袋を上腕動脈の傷となるべき部分の上に当てた状態でバンドを腕に巻つけ、しかる後空気袋にポンプにより空気を注入して膨らませ、それにより膨らんだ空気袋により血管を適度の圧力で押圧して止血及び傷の修復を行うものであった。
【０００３】
しかし、上記の従来止血器を実際の造影剤注入後の止血に使用する場合についてみると、例えば上腕動脈にシーズイントラデューサー（通称シーズ）を刺しこみ、ついでカテーテルを上記シーズを通して所望血管まで挿通し、該カテーテルを介して造影剤を所望血管に注入する施術を行った後、上記シーズを最終的に上腕動脈から引き抜く時の止血を行う場合は、上記シーズを引き抜く前に、動脈に与えたシーズの刺しこみ傷の上に膨らませた空気袋を予め圧接しておく必要がある。そのため上記シーズ引き抜き前に止血器バンドを腕に巻きつけておかなければならないが、その巻きつけ作業は、血管に刺したままのシーズ及びカテーテル等の直ぐそばで、該バンドを腕の下に回し、接合テープを接合する作業を行わなければならないから、施術者にとって余分な注意力を必要とする煩わしい作業となっていた。
【０００４】
【発明が解決しようとする課題】
本願発明は、特段の注意力を必要とせずに簡単な操作で確実に腕に装着することのできる止血器を提供することを課題とする。
【０００５】
【課題を達成するための手段】
上記課題達成の手段として、本願第１発明は、
腕を囲み且つ１個所を切離した各種形状の輪状弾性板であって、囲んだ腕に圧接する方向に弾性を有すると共に、圧接した腕から外すべく上記切離部を拡開する方向に弾性変位自在の抱持板と、
上記抱持板の内側面に取りつけられた膨縮可能の透明空気袋と、
上記抱持板の少くとも上記空気袋に対応する部分に形成した、外側から空気袋を見ることができるようにした検知面と、
上記空気袋を所望容量に膨張、収縮させる空気給排手段と、
から構成される腕の血管止血器を提案する。
【０００６】
また、本願第２発明は、
大腿を囲み且つ１個所を切離した各種形状の輪状弾性板であって、囲んだ大腿に圧接する方向に弾性を有すると共に、圧接した大腿から外すべく上記切離部を拡開する方向に弾性変位自在の抱持板と、
上記抱持板に突設され、先端部を穿刺すべき血管上に延長するアーム板と、
上記アーム板の先端部内側面に取りつけられた膨縮可能の透明空気袋と、
上記アーム板の少くとも上記空気袋に対応する部分に形成した、外側から空気袋を見ることができるようにした検知面と、
上記空気袋を所望容量に膨張、収縮させる空気給排手段と、
から構成される大腿の血管止血器を提案する。
【０００７】
本願発明における上記「弾性抱持板」は、ポリエチレンテレフタレート樹脂、ポリプロピレン樹脂等の弾性合成樹脂、ステンレス鋼等の弾性金属等からなる抱持板自体の弾性によって主として腕を抱持するもののほか、弾性合成樹脂、鋼等金属のスプリング、板バネ、ゴム紐等の他の弾性材の弾性によって主として腕を抱持するものも含む。
【０００８】
また、抱持板又はアーム板の内側面への「空気袋の取りつけ」は、着脱自在に取りつけたもの、及び着脱不能に固着したものを含む。
【０００９】
さらに、上記「検知面」は、抱持板又はアーム板の全体が透明の場合はその空気袋に対応する部分が自動的に検知面となるもの、抱持板又はアーム板が金属、不透明合成樹脂からなる場合は、空気袋に対応する部分に窓を開け、該窓に透明板を張ったもの、抱持板又はアーム板における空気袋に対応する部分の部材を透明材としたもの等を含む。
【００１０】
またさらに、上記アーム板の「抱持板に突設」する構造は、抱持板に着脱自在に取りつけるもの、着脱不能に固定するもの、及び支障のない方向に施回自在に取りつけるものを含む。
以下図面を参照して本願発明の実施例について説明する。
【００１１】
【第１発明の実施例１】
図１は腕の血管の止血器（１）で、ポリエチレンテレフタレート樹脂の透明で弾性を有する長方形板をほぼＣ形に回曲して弾性抱持板（２）を形成し、該抱持板（２）の中間部分内側面に枕状の透明空気袋（３）を取りつけると共に、抱持板（２）の上記空気袋（３）に対応する部分を、該空気袋が外側から透視できる透明検知面（４）としたものである。
【００１２】
上記空気袋（３）は、同図（ハ）に示すように空気袋の左右両側辺から袖片（５）、（５）を延出し、該袖片（５）、（５）面に、フックテープとループテープからなる接合テープの一方のフックテープ（６）、（６）を取りつけると共に、抱持板（２）内側面の対応する部位に他方のループテープ（７）、（７）を取りつけ、これら接合テープの接離により空気袋（３）を着脱自在に取りつけてある。（８）は空気給入ホース、（９）はパイロット操作逆止弁、（１０）はプランジャポンプ等のポンプ吐出口を差しこむべきポンプ接続口である。
【００１３】
なお、上記パイロット操作逆止弁（９）は、ポンプ吐出口をポンプ接続口（１０）に差しこんだとき、該吐出口がパイロットピストンとなって逆止弁を正逆両方向に開通するタイプのものである。（１１）、（１１）は上記抱持板（２）の切離両端部に被着したゴムキャップである。
【００１４】
使用においては、例えば造影剤注入の場合についてみると、上腕動脈にシーズを刺しこみ、ついで該シーズを介してカテーテルを所望血管まで挿通して造影剤注入を行う。上記注入後、上例の止血器（１）におけるＣ形抱持板（２）の先端間を図１（イ）に示す仮想線の状態に開き、その状態で抱持板（２）を上腕部に被嵌し、そして検知面（４）から空気袋（３）とシーズとの相互位置関係を見ながら空気袋（３）をシーズの血管への刺しこみ部位の上に位置させ、ついでプランジャポンプの吐出口を接続口（１０）に差しこみ、プランジャを押して空気袋（３）を膨らませ、該膨らんだ空気袋（３）により上記血管へのシーズ刺しこみ部位を押圧し、その状態でカテーテルを引き抜き、ついでシーズを血管から引き抜く。シーズ引き抜き時、膨らんだ空気袋（３）により血管の傷部分を押圧して出血を阻止し、以後血管の傷が修復されるまで上記の押圧状態を継続する。
【００１５】
上記止血器（１）の抱持板（２）を上腕部に被嵌する作業は容易であり、シーズ及びカテーテル等の至近位置であっても安全である。
【００１６】
【第１発明の実施例２】
本例は、抱持板（２ａ）がステンレス鋼薄板製のもので、図２に示すようにその検知面（４ａ）が、抱持板（２ａ）に開設した窓（１２ａ）の内側面に合成樹脂の透明板（１３ａ）を張設した構造とし、その透明板（１３ａ）の内側面に空気袋（３ａ）を接着固定してある。他の構造は図１と実質的に同一である。
【００１７】
【第１発明の実施例３】
図３において、ポリプロピレン樹脂の透明弾性板からなる弓形の上板（１４ｂ）の両端部に、同材質のＳ字形に曲げた２枚の下板（１５ｂ）、（１５ｂ）の各中間部をリベット（１６ｂ）、（１６ｂ）により固着し、上記上板（１４ｂ）と両下板（１５ｂ）、（１５ｂ）の下半部とにより抱持板（２ｂ）を形成すると共に、上記両下板（１５ｂ）、（１５ｂ）の上半部をツマミ（１７ｂ）、（１７ｂ）としてある。他の構造は図１と実質的に同一である。
【００１８】
本例では、指でツマミ（１７ｂ）、（１７ｂ）を図３矢印方向に押せば抱持板（２ｂ）が開き、指を離せぱ閉じるので、抱持板（２ｂ）を腕に被着させる作業がさらに容易となる。
【００１９】
【第１発明の実施例４】
図４において、硬質合成樹脂製の透明矩形板であって、その相対する両側辺にコ字状案内溝（１８ｃ）、（１８ｃ）を形成してなる上板（１４ｃ）と、ステンレス鋼の長方形薄板をＵ字状に曲げた２枚の弾性板であって、各弾性板のほぼ半体を２枚の平行する細長片（１９ｃ）、（１９ｃ）に形成してなる２枚の下板（１５ｃ）、（１５ｃ）とからなり、上記上板（１４ｃ）の案内溝（１８ｃ）、（１８ｃ）に、上記２枚の下板（１５ｃ）、（１５ｃ）の各細長片（１９ｃ）（１９ｃ）、（１９ｃ）（１９ｃ）を左右から相対向して摺動自在に挿入保持させると共に、相対向する細長片（１９ｃ）（１９ｃ）、（１９ｃ）（１９ｃ）の基部に突設されたピン（２０ｃ）（２０ｃ）、（２０ｃ）（２０ｃ）にゴム紐（２１ｃ）、（２１ｃ）をそれぞれ結び、それにより上板（１４ｃ）と下板（１５ｃ）、（１５ｃ）により抱持板（２ｃ）を形成し、該ゴム紐（２１ｃ）、（２１ｃ）により相対向する細長片（１９ｃ）（１９ｃ）、（１９ｃ）（１９ｃ）をそれぞれ対向方向に引張ることにより抱持板（２ｃ）を閉じ方向へ弾発している。
【００２０】
本例によれば、下板（１５ｃ）、（１５ｃ）がそれ自身の弾性により開閉できると共に、ゴム紐（２１ｃ）、（２１ｃ）の弾性により図４（イ）に示す矢印方向に弾性的に変位できるから、使用者の腕の太さに差があっても、それに対応して抱持板（２ｃ）を拡縮して所期の腕抱持を可能にする。
【００２１】
【第１発明の実施例５】
本例の抱持板（２ｄ）は、弾性長方形板を円形に回曲すると共に、図５に示すように該円形板における本例では２本の直交する中心線（Ｌｄ）、（Ｌｄ）上の相対する部分を内側に湾曲する凹部（２２ｄ）（２２ｄ）、…に形成すると共に、隣り合う凹部（２２ｄ）（２２ｄ）、…間に凸部（２３ｄ）…を形成した例である。
【００２２】
本例によれば、抱持板（２ｄ）を腕に被嵌したとき、上記凹部（２２ｄ）…で腕に強く圧着しても凸部（２３ｄ）…で無圧着となるから、腕の血管に支障を与えることがない。
【００２３】
【第２発明の実施例１】
図６、７、８は大腿の血管の止血器（１ｅ）で、弾性長方形板をほぼＣ形に回曲してなる弾性抱持板（２ｅ）の外側面両側部に差込み溝部（２４ｅ）、（２５ｅ）をそれぞれ形成し、一方の溝部（２４ｅ）に透明弾性合成樹脂からなる空気袋支持板（２６ｅ）を、他方の溝部（２５ｅ）に弾性合成樹脂からなる補助板（２７ｅ）をそれぞれ着脱自在に取りつけてある。
【００２４】
上記一方の空気袋支持板（２６ｅ）は、上記溝部（２４ｅ）に挿脱自在に嵌入すべき二又状の差込み片（２８ｅ）、（２８ｅ）から若干下向きに傾斜の支持部（２９ｅ）を延出し、該支持部（２９ｅ）の先端部下面に空気袋（３ｅ）を取りつけると共に、そのやや差込み片がわの部位に操作窓（３０ｅ）を開設し、該操作窓（３０ｅ）は、上記二又状差込み片（２８ｅ）、（２８ｅ）間の切込み溝（３４ｅ）を通じて外部に開通している。
【００２５】
他方の補助板（２７ｅ）は、上記溝部（２５ｅ）に挿脱自在に嵌入すべき差込み片（３１ｅ）から若干下向き傾斜し且つ大腿に対応して湾曲する補助部（３２ｅ）を延出してある。（３３ｅ）、（３３ｅ）は抱持板（２ｅ）の内側面に設けたクッション材である。
【００２６】
使用においては、例えば造影剤注入の場合についてみると、大腿動脈にシーズを刺しこみ、ついで該シーズを介してカテーテルを所望血管に挿通して造影剤注入を行った後、上記空気袋支持板（２６ｅ）及び補助板（２７ｅ）を外した抱持板（２ｅ）を用意し、該抱持板（２ｅ）を図８仮想線のように広く開いて大腿上部に被嵌する。
【００２７】
次に、大腿動脈に刺さったままのシーズ及びカテーテルを空気袋支持板（２６ｅ）の切込み溝（３４ｅ）を経て操作窓（３０ｅ）内に位置させ、その状態で上記支持板（２６ｅ）を、その差込み片（２８ｅ）、（２８ｅ）を抱持板（２ｅ）の差込み溝部（２４ｅ）に差しこんで取りつけ、また補助板（２７ｅ）を、その差込み片（３１ｅ）を溝部（２５ｅ）に差しこんで取りつける。この場合、補助板（２７ｅ）がなくても空気袋支持板（２６ｅ）先端部分が大腿動脈がわに軽く圧接するが、補助板（２７ｅ）を取りつけることにより上記支持板（２６ｅ）先端部分をさらに確実に圧接を維持する。
【００２８】
検知面（４ｅ）から検知しながら空気袋（３ｅ）をシーズの血管への刺しこみ部位の上に位置させ、その状態で空気袋（３ｅ）に空気を送って膨らませ、該膨らんだ空気袋（３ｅ）により上記血管へのシーズ刺しこみ部位を押圧し、その状態で上記操作窓（３０ｅ）内に位置するカテーテルついでシーズを血管から引き抜く。上記血管の止血及び修復を行う。
【００２９】
なお、上記抱持板（２ｅ）を大腿に抱持させた際、その抱持を確実に維持するため、抱持板の切離両端部分に、図８仮想線で示すように、接合テープつきの接続バンド（３５ｅ）で接続するのもよい。
【００３０】
上例の補助板（２７ｅ）は、大腿下部からひざ頭に当接する長いものにすることもよい。
【００３１】
【第２発明の実施例２】
弾性抱持板（２ｆ）が、図９に示すように、ほぼＵ字状の上板（１４ｆ）と、一端部から差込み片（３６ｆ）を延出したほぼＵ字状の下板（１５ｆ）とに分割し、上板（１４ｆ）の一端部外側面に設けた差込み溝部（３７ｆ）に下板（１５ｆ）の差込み片（３６ｆ）を差しこみ、セットネジ（３８ｆ）により差込み片（３６ｆ）を締着する構造であり、他の構造は図６、７、８と実質的に同一とした例である。
【００３２】
本例によれば、下板（１５ｆ）の差込み片（３６ｆ）の差しこみ長を加減することにより使用者の大腿の太さに対応することができる。
【００３３】
【発明の効果】
本願第１及び第２発明によれば、抱持板をその弾性変位により腕又は大腿の所望部位に、特段の注意力を必要とせずに、容易に被着することができると共に、空気袋を検知面から見ながら腕又は大腿の所望止血位置に正しく当接することができるのである。
【図面の簡単な説明】
【図１】（イ）本願第１発明による止血器の正面図である。
（ロ）同上側面図である。
（ハ）空気袋の平面図である。
【図２】（イ）第１発明の他の実施例の平面図である。
（ロ）（イ）図のＡ−Ａ線断面図である。
【図３】第１発明のさらに他の実施例の正面図である。
【図４】（イ）第１発明の別の実施例の平面図である。
（ロ）（イ）図のＢ−Ｂ線断面図である。
【図５】第１発明のさらに別の実施例の正面図である。
【図６】本願第２発明による止血器の平面図である。
【図７】同上側面図である。
【図８】同上正面図である。
【図９】第２発明の他の実施例における抱持板の正面図である。
【符号の説明】
１、１ａ、１ｂ、１ｃ、１ｄ、１ｅ、１ｆ  止血器
２、２ａ、２ｂ、２ｃ、２ｄ、２ｅ、２ｆ  抱持板
３、３ａ、３ｂ、３ｃ、３ｄ、３ｅ、３ｆ  空気袋
４、４ａ、４ｂ、４ｃ、４ｄ、４ｅ、４ｆ  検知面
８、８ａ、８ｂ、８ｃ、８ｄ、８ｅ、８ｆ  空気給入ホース
【図１】
2004337393.tif 000003
【図２】
2004337393.tif 000004
【図３】
2004337393.tif 000005
【図４】
2004337393.tif 000006
【図５】
2004337393.tif 000007
【図６】
2004337393.tif 000008
【図７】
2004337393.tif 000009
【図８】
2004337393.tif 000010
【図９】
2004337393.tif 000011